(57)【要約】      （修正有）【課題】使用中に水滴や汚れが無いように保たれる歯科または医療試験用のハンドルの付いた鏡を提供する。【解決手段】空気ダクト７を有するハンドル１と、上部で接続されるフレキシブル空気供給源２と、底部で挿入される突起３と、平坦な、すなわち空気流路７の流出口６からの反射面５の全ての方向においていずれのリムによって制限されない疎水性および非粘着性の反射面５を有する鏡４である。突起の上部には、これらの表面に沿った空気流が突起に接続された反射面の角度と合同の反射面５を横切って分岐する角度で配置される突起３の長手方向（すなわち、空気流の方向）に対して垂直の壁または制御面のいずれかが形成される。【選択図】図１
0003204344.tif 000002
【実用新案登録請求の範囲】
【請求項１】
好ましくは疎水性および非粘着性にされた反射面が、前記ハンドルに形成された空気流路からの圧力の下で流れる空気流により、使用中に水滴や汚れが無いように保たれるように設計された歯科または医療試験用のハンドルの付いた鏡であって、
これは、形成された前記空気流路を有するハンドルと、空気流路が自由にアクセス可能に形成された中空へ流出口を通って挿入し、押し込み型または他の方法により脱着可能に取り付けられ得るように形成された突起が恒久的に接続された鏡への改良された殺菌性の目的のために分岐され、その位置で、前記空気流路が前記流出口に向かって徐々に狭くなり、より速いスピードで前記反射面に前記空気流に分岐して向かい、前記空気流路から離れて全ての側から洗浄可能である
ことを特徴とする鏡。
【請求項２】
前記鏡は、一および同じ空気流路にフィットする突起を有して様々な形状および大きさで具現化され、もしくは前記突起に接続される前記反射面を清潔に保つために前記空気流を圧縮するように形成される
ことを特徴とする請求項１に記載の鏡。
【請求項３】
前記鏡に恒久的に接続された前記突起上に、直立制御面は、前記反射面を横切る空気流を導くために形成される
ことを特徴とする請求項１または２に記載の鏡。
【請求項４】
前記鏡の輪郭は、三角形であり、前記空気流は、前記三角形と合同の角度で前記反射面の角から前記反射面に導かれる
ことを特徴とする請求項１〜３のいずれか１項に記載の鏡。
【請求項５】
漏れの無い接続が、前記ハンドルの前記空気流路と、前記カップリングが通常使用中に前記引力下で維持されるように前記引張力の磁力が選択されて手動の前記引張力下で破壊される、前記ホースとの間で確立されるように、前記空気流路は、前記ハンドルを通って実行され、エアコンプレッサに接続されたホースのカップリングは、一方は恒久的に固定され、一方は、前記ハンドルのチャンネルに恒久的に固定される２つの相互に磁気的に取り付けられたリングを備える
ことを特徴とする請求項１〜４のいずれか１項に記載の鏡。
【請求項６】
前記鏡は、空気供給源から独立して使用され得る
ことを特徴とする請求項５に記載の鏡。
【考案の詳細な説明】
【技術分野】
【０００１】
本考案は、操作された空気流によって使用中に医療または歯科試験用のハンドルの付いた鏡の反射面を清潔に保つための方法のアプリケーションに適切な、ハンドルの付いた鏡のより容易に殺菌可能に改良された構成に関する。
【背景技術】
【０００２】
歯科または医療の試験のための鏡の使用中の問題は、結果としてそれらの使用の性質上、汚れや水滴が点在し、それにより鮮明な画像の反射が低減する又は完全に消滅することである。この問題は、様々な特許出願で記載されている。
【０００３】
従来技術では、もっぱら空気流により反射面を洗浄する方法がある。これは、より簡易な機器を通して、米国出願公開第２００５／０２８２１０３号明細書および米国特許第００５４４９２９０号明細書によって実現し得る。
【０００４】
しかしながら、実際、あまりにも多くの汚れがまだ表面に付着し、空気流がグリップを有さないので、これは、無効または不十分な効果である。この例は、米国出願公開第２００５／０２８２１０３号明細書および米国特許第００５４４９２９０号明細書である。また、空気が反射面から液体と汚れを除去するように、反射面の外周の吸引により抽出される解決策が知られている。この例は、米国特許第８１３３０５２号明細書である。この解決方法は、表面上の唯一の空気流と同様の理由のいずれに対しても十分に機能しない。
【０００５】
鏡またはそれに接続される長細いハンドルの大きさおよび複雑さが増加することで自由度が無くなることに対する、全てのケースにおいて引き起こされるこの問題に対して提唱された多くの技術的解決策は、洗浄および／または殺菌するのが難しく、また製造するのがより難しいため高額になる。これらの例は、吸引装置を有する回転鏡が記載された米国出願公開第２００４／００７６０１９号明細書および欧州特許出願公開第２１８１６４３号明細書と、液体の供給と抽出が記載され、添加剤により表面を親水性にする米国特許第３９６９８２４号明細書と、鏡における疎水性の影響が低減され表面を横切る液体の流れが改善するように強制的に圧縮された空気と液体が反射面を横切り、好ましくは液体が追加される組み合わせが記載された米国出願公開第２０１０／０２６１１３２号明細書である。
【０００６】
最も効果的な方法は、本質的に表面が非常に疎水性にすることであることが分る。この方法は、疎水性の反射面に空気を与えることによりビデオ内視鏡に位置する鏡を清潔に保つことが記載された欧州特許出願公開第１９７２２６１号明細書から分かる。この器具もかなり大きく、殺菌することが難しい。
【考案の概要】
【考案が解決しようとする課題】
【０００７】
本考案の目的は、提供される又はされない親水性または疎水性の反射面が空気流路を通って進む空気流により試験中に清潔に保たれた、医療または歯科試験用の、より容易に扱いやすく殺菌可能なハンドルと、空気供給源に接続可能な統合された空気流路の付いた鏡の構成を達成することである。
【課題を解決するための手段】
【０００８】
そのため、本考案は、突起が洗浄のために全ての側にアクセス可能であって空気流路が完全に中空にあり、空気流路が流出前に直接狭くなり、空気流が反射面上の流出から強制的に分岐されるように、恒久的に鑑に接続された突起がハンドルの空気流路の流出口側に挿入され、押し込み型または他の方法により脱着可能に固定され、該突起はさらに三次元に形成される、前述のタイプのミラーを提供する。
【０００９】
また、全ての鏡が同じ方式で空気流路に固定され、空気流に影響を与えるための鏡に恒久的に接続された突起の三次元形状がそこに恒久的に接続された鏡に適用されてきたので、異なる形状、角度および表面積を有する様々な鏡は、本考案の特徴を維持しながらハンドル内に位置する。
【００１０】
また、本考案は、空気流が、鏡の三角形状が利点を有し、ドリル、歯科用プローブまたはピンセットなどの機器が反射面に沿って位置して三角形の反射面の背面部が反射する、三角形の反射面の表面に大いに流れるように、鏡を三角形にし、空気流路に挿入すべき突起によって鏡を角でハンドルに取り付け、様々な角度で空気流路に位置する直立面によって表面を横切って空気流を分岐することにより、空気流の効果の組み合わせの改善と鏡の機能性を提供する。
【考案の効果】
【００１１】
より容易にハンドルの殺菌や洗浄をし、空気の供給無しにハンドルの付いた鏡の個別の使用を可能にするために、空気の供給源とハンドルの間のカップリングが、剛性端部を有する空気供給源が、カップリングをもたらすためにハンドルの空気流路に挿入される必要があるように、設計され、一方が剛性端部の周囲に恒久的に固定され、他方がハンドルの中空チューブ内に恒久的に固定される、相互に磁気的に取り付けられたリングにより、密閉して接続し、従って、カップリングが通常使用中にもたらされる引張力下で維持され、より大きな手動の引張力下で破壊されるように、選択された磁力でハンドルの空気流路と空気供給源の間で漏れのない接続をもたらす。
【図面の簡単な説明】
【００１２】
【図１】ハンドル（１）の長手方向断面を示す図である。
【図２】本考案の突起（３）を示す図である。
【図３】ハンドル（１）の長手方向の断面を示す図である。
【図４】突起の部分的に同一形状の部分を有する鏡を示す図である。
【図５】突起の部分的に同一形状の部分を有する鏡を示す図である。
【考案を実施するための形態】
【００１３】
図１〜５に基づいて、本考案の好ましい実施形態を詳細に説明する。図１は、空気ダクト（７）を有するハンドル（１）と、上部で接続されるフレキシブル空気供給源（２）と、底部で挿入される突起（３）と、平坦な、すなわち空気流路（７）の流出口（６）からの反射面（５）の全ての方向においていずれのリムによって制限されない疎水性および非粘着性が提供された反射面（５）の付いたそれに接続された鏡（４）の長手方向断面を示す。図２は、突起（３）と、それと個別に頑固に接続される鏡（４）を示す。
【００１４】
突起（３）の上部には、これらの表面に沿った空気流が突起に接続された反射面の角度と合同の反射面（５）を横切って分岐する角度で配置される突起（３）の長手方向（すなわち、空気流の方向）に対して垂直の壁または制御面（８）のいずれかが形成される。
【００１５】
外周の突起（３）は、空気流路（７）に挿入される突起（３）が空気流路（７）にてロックされたままであるように、空気流路（７）の内周と同じ形状のシリンダーの一部を記載し、同じまたは部分的に大きな外形を有し、さらに空気流路（７）が流出口に向かって徐々に狭く平坦になり、早く下向き圧力下で反射面（５）を横切って空気流が広がるように空気流路（７）を狭くするその機能に調整される壁厚（９）を有する。
【００１６】
図３は、他端部がエアコンプレッサに接続されてカップリングされた空気ホース（２）の付いたハンドル（１）の長手方向の断面を示し、カップリングは、２つの層が二時期的に取り付けられたリング（１０）および（１１）を備え、恒久的に接続されたリング（１０）は、ホースの周囲または接続されたパイプ部（１２）に配置され、上部でハンドル（１）に恒久的に接続された他のリング（１１）は、空気流路（７）の周囲に配置され、接続されたリングは、鏡の通常使用中に潜在的にもたらされる力よりも大きく、これを超える手動の引張力よりも小さい引力の力で空気流路（７）とホース（２）の間で漏れのない接続を確立する。
【００１７】
図４および５は、空気流路（７）の一致が関係する範囲の突起の部分的に同一形状の部分と、反射面を横切る空気流の方向が関係する範囲の突起の逸脱部分を有する、異なる大きさと形状の２つの鏡を示す。
【図１】
0003204344.tif 000003
【図２】
0003204344.tif 000004
【図３】
0003204344.tif 000005
【図４】
0003204344.tif 000006
【図５】
0003204344.tif 000007
【手続補正書】
【提出日】平成28年3月11日(2016.3.11)
【手続補正１】
【補正対象書類名】実用新案登録請求の範囲
【補正対象項目名】全文
【補正方法】変更
【補正の内容】
【実用新案登録請求の範囲】
【請求項１】
好ましくは疎水性および非粘着性にされた反射面が、ハンドルに形成された空気流路からの圧力の下で流れる空気流により、使用中に水滴や汚れが無いように保たれるように設計された歯科または医療試験用のハンドルの付いた鏡であって、
前記ハンドルの付いた鏡は、改良された殺菌性の目的のために、形成された前記空気流路を有するハンドルと、突起が恒久的に接続された鏡とに分けられ、前記突起は、空気流路が自由にアクセス可能に形成された中空へ流出口を通って挿入し得るように、および押し込み型または他の方法により脱着可能に固定し得るように形成され、その位置で、前記空気流路が前記流出口に向かって徐々に狭くなり、より速いスピードで前記反射面に分岐して前記空気流を向かわせ、前記空気流路から取り外されて全ての面から洗浄可能である
ことを特徴とする鏡。
【請求項２】
前記鏡は、一および同じ空気流路にフィットする突起を有して様々な形状および大きさで具現化され、もしくは前記突起に接続される前記反射面を清潔に保つために前記空気流を圧縮するように形成される
ことを特徴とする請求項１に記載の鏡。
【請求項３】
前記鏡に恒久的に接続された前記突起上に、直立制御面が、前記反射面を横切る空気流を導くために形成される
ことを特徴とする請求項１または２に記載の鏡。
【請求項４】
前記鏡の輪郭は、三角形であり、前記空気流は、前記三角形と合同の角度で前記反射面の角から前記反射面に導かれる
ことを特徴とする請求項１〜３のいずれか１項に記載の鏡。
【請求項５】
前記空気流路は、前記ハンドルを貫通し、漏れの無い接続が、前記ハンドルの前記空気流路と、前記ホースとの間で確立されるように、エアコンプレッサに接続されたホースのカップリングは、一方は前記ホースに接続された硬質パイプ部の周りに恒久的に固定され、一方は前記ハンドルのチャンネルに恒久的に固定される、２つの相互に磁気的に取り付けられたリングを備え、前記カップリングは、通常使用中の引力下で維持されるように引張力の磁力が選択され、より強い手動の引力下では外される
ことを特徴とする請求項１〜４のいずれか１項に記載の鏡。
【請求項６】
前記鏡は、空気供給源から独立して使用され得る
ことを特徴とする請求項５に記載の鏡。